(57)【要約】【課題】本発明は、メモリ初期化に要する時間の短縮やフラッシュメモリの寿命減少の回避、データ書き込み速度の向上を図ることができるデジタルカメラを提供する。【解決手段】本発明によるデジタルカメラは、撮像した画像をメモリに記録するデジタルカメラであって、メモリ初期化モードを選択する初期化モード選択手段と、初期化モード選択手段により選択されたメモリ初期化モードに基づいてメモリを初期化するメモリ初期化手段を備えている。そして、このメモリを初期化するための初期化モードは、メモリ内のデータを一度消去してからメモリ内のファイルシステムを初期化する第１のメモリ初期化モードと、メモリ内のデータを消去せずにメモリ内のファイルシステムを初期化する第２のメモリ初期化モードとを含むものである。【選択図】図２
2007142754.tif 000002
【特許請求の範囲】
【請求項１】
撮像した画像をメモリに記録する撮像装置であって、
メモリ初期化モードを選択する初期化モード選択手段と、
前記初期化モード選択手段により選択されたメモリ初期化モードに基づいて前記メモリを初期化するメモリ初期化手段を備え、
前記初期化モードは、前記メモリ内のデータを一度消去してからメモリ内のファイルシステムを初期化する第１のメモリ初期化モードと、前記メモリ内のデータを消去せずにメモリ内のファイルシステムを初期化する第２のメモリ初期化モードを有することを特徴とする撮像装置。
【請求項２】
撮像した画像をメモリに記録する撮像装置であって、
前記メモリの初期化に先立って、メモリ初期化モードを予め設定する、メモリ初期化モード設定手段と、
前記メモリ初期化モード設定手段により設定されたメモリ初期化モードに基づいて前記メモリを初期化するメモリ初期化手段を備え、
前記初期化モードは、前記メモリ内のデータを一度消去してからメモリ内のファイルシステムを初期化する第１のメモリ初期化モードと、前記メモリ内のデータを消去せずにメモリ内のファイルシステムを初期化する第２のメモリ初期化モードを有することを特徴とする撮像装置。
【請求項３】
前記メモリは、フラッシュメモリであることを特徴とする請求項１又は請求項２に記載の撮像装置。
【請求項４】
さらに、撮像した画像を前記フラッシュメモリへ記録する際の書き込み速度を算出する算出手段と、
前記算出手段から得られる書き込み速度と予め設定された閾値を比較する比較手段と、
前記比較の結果、書き込み速度が閾値以下である場合に、所定の通知を行う通知手段と、
を備えることを特徴とする請求項３に記載の撮像装置。
【請求項５】
前記所定の通知は、前記第１のメモリ初期化モードによるメモリ初期化を行うことを促す警告であることを特徴とする請求項４に記載の撮像装置。
【発明の詳細な説明】
【技術分野】
【０００１】
本発明は、撮像装置に関し、詳しくは、例えば撮像した画像をメモリに記録する撮像装置におけるメモリ初期化手段の制御に関するものである。
【背景技術】
【０００２】
現在、フラッシュメモリ等の半導体メモリを有するメモリカードを記録媒体として動作するデジタルカメラが知られている。このようなデジタルカメラには、メモリカード内のフラッシュメモリの初期化を行えるものもある（特許文献１参照）。
【０００３】
通常、フラッシュメモリは、データを書き込む際、空き領域が無い場合には古いデータを削除してから新しいデータを書き込む必要がある。一方、空き領域がある場合には、古いデータはそのまま残し、空いている領域に新しいデータを書き込む。この場合、データ書き込み速度は空き領域がない場合に比べて高速である。
【特許文献１】特開２００４−０２３５４０号公報
【発明の開示】
【発明が解決しようとする課題】
【０００４】
通常、メモリ内のデータの消去には時間がかかる。特に、メモリの種類、容量によってはかなりの時間を要し、メモリの初期化に数十秒もかかるものもある。
【０００５】
しかし、デジタルカメラを使用するユーザが全て時間のかかるメモリ初期化を望んでいるわけではない。データの消去を伴わない初期化手段が用意されていないために、場合によってはメモリ初期化に時間がかかりすぎて撮影の機会を逃してしまう可能性もある。
【０００６】
また、フラッシュメモリを用いるメモリカードは通常ウェアレベリングと呼ばれる機能を備える。これは、フラッシュメモリの各領域に対する書き換え回数を記憶し、書き換える領域を分散させるものである。しかし、フラッシュメモリを消去することで、フラッシュメモリの書き換え回数を管理するテーブルも初期化されてしまうため、フラッシュメモリの特定の領域に対して書き換えが集中し、寿命を縮めてしまう可能性がある。
【０００７】
一方で、フラッシュメモリの消去を行わないまま使用を続けると、空き領域が不足し、データを書き込む際に古いデータを削除してから新しいデータを書き込むことになり、画像の書き込み速度が低下するという問題もある。
【０００８】
本発明はこのような状況に鑑みてなされたものであり、メモリ初期化に要する時間の短縮やフラッシュメモリの寿命減少の回避、データ書き込み速度の向上を図るものである。
【課題を解決するための手段】
【０００９】
上記課題を解決するために、本発明に係るデジタルカメラは、第１に、撮像した画像をメモリに記録するデジタルカメラであって、メモリ初期化モードを選択する初期化モード選択手段と、前記初期化モード選択手段により選択されたメモリ初期化モードに基づいて前記メモリを初期化するメモリ初期化手段を備え、
前記初期化モードは、前記メモリ内のデータを一度消去してからメモリ内のファイルシステムを初期化する第１のメモリ初期化モードと、前記メモリ内のデータを消去せずにメモリ内のファイルシステムを初期化する第２のメモリ初期化モードを有することを特徴とする。
【００１０】
第２に、撮像した画像をメモリに記録するデジタルカメラであって、前記メモリの初期化に先立ってメモリ初期化モードを予め設定するメモリ初期化モード設定手段と、前記メモリ初期化モード設定手段により設定されたメモリ初期化モードに基づいて前記メモリを初期化するメモリ初期化手段を備え、
前記初期化モードは、前記メモリ内のデータを一度消去してからメモリ内のファイルシステムを初期化する第１のメモリ初期化モードと、前記メモリ内のデータを消去せずにメモリ内のファイルシステムを初期化する第２のメモリ初期化モードを有することを特徴とする。
【００１１】
なお、その他の本発明の特徴は、添付図面及び以下の発明を実施するための最良の形態の記載によっていっそう明らかになるものである。
【発明の効果】
【００１２】
本発明のデジタルカメラでは、メモリ初期化時に、データの消去を伴うメモリ初期化と、データの消去を伴わないメモリ初期化を選択することが可能になる。
【００１３】
また、メモリ初期化時に先んじて、データの消去を伴うメモリ初期化と、データの消去を伴わないメモリ初期化を、予め設定することが可能になる。
【発明を実施するための最良の形態】
【００１４】
＜下記の各実施形態に共通するデジタルカメラの形態＞
図１は、本発明の各実施形態に共通するデジタルカメラの構成を示すブロック図である。なお、本発明では、撮像装置として図１のデジタルカメラ以外にも、例えば、デジタルビデオカメラ、カメラ付き携帯電話など、デジタルカメラとして動作する装置であれば任意の装置を用いることができる。
【００１５】
図１において、１００は本発明のデジタルカメラである。１２は撮像素子１４への露光量を制御するためのシャッター、１４は光学像を電気信号に変換する撮像素子である。レンズ３１０に入射した光線は、一眼レフ方式によって、絞り３１２、レンズマウント３０６及び１０６、ミラー１３０、シャッター１２を介して導かれ、光学像として撮像素子１４上に結像することが出来る。
【００１６】
１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１７】
２０は画像処理回路であり、Ａ／Ｄ変換器１６からのデータ或いはメモリ制御回路２２からのデータに対して所定の画素補間処理や色変換処理を行う。また、画像処理回路２０は、必要に応じて、撮像した画像データを用いて所定の演算処理を行い、得られた演算結果に基づいてシステム制御回路５０が露光制御手段４０、測距制御手段４２を制御し、ＴＴＬ（スルー・ザ・レンズ）方式のＡＦ（オートフォーカス）処理、ＡＥ（自動露出）処理、ＥＦ（フラッシュ調光）処理を行うことが出来る。さらに、画像処理回路２０は、撮像した画像データを用いて所定の演算処理を行い、得られた演算結果に基づいてＴＴＬ方式のＡＷＢ（オートホワイトバランス）処理も行う。なお、測距手段４２及び測光手段４６を用いてＡＦ（オートフォーカス）処理、ＡＥ（自動露出）処理、ＥＦ（フラッシュ調光）処理の各処理を行い、上記画像処理回路２０を用いたＡＦ（オートフォーカス）処理、ＡＥ（自動露出）処理、ＥＦ（フラッシュ調光）処理の各処理を行わない構成としてもよい。或いは、測距手段４２及び測光手段４６を用いてＡＦ（オートフォーカス）処理、ＡＥ（自動露出）処理、ＥＦ（フラッシュ調光）処理の各処理を行い、さらに、上記画像処理回路２０を用いたＡＦ（オートフォーカス）処理、ＡＥ（自動露出）処理、ＥＦ（フラッシュ調光）処理の各処理を行う構成としてもよい。
【００１８】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１９】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合にはデジタルカメラ１００の電力消費を大幅に低減することが出来る。
【００２０】
３０は撮影した画像を格納するためのメモリであり、所定の容量の画像を格納するのに十分な記憶容量を備えている。これにより、例えば複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２２】
４０は測光手段４６からの測光情報に基づいて、絞り３１２を制御する絞り制御手段３４０と連携しながら、シャッター１２を制御するシャッター制御手段である。
【００２３】
４２はＡＦ（オートフォーカス）処理を行うための測距手段であり、レンズ３１０に入射した光線を、一眼レフ方式によって、絞り３１２、レンズマウント３０６及び１０６、ミラー１３０、そして不図示の測距用サブミラーを介して、測距手段４２に入射させることにより、光学像として結像された画像の合焦状態を測定することが出来る。
【００２４】
４６はＡＥ（自動露出）処理を行うための測光手段であり、レンズ３１０に入射した光線を、一眼レフ方式によって、絞り３１２、レンズマウント３０６及び１０６、ミラー１３０及び１３２、そして不図示の測光用レンズを介して、測光手段４６に入射させることにより、光学像として結像された画像の露出状態を測定することが出来る。また、測光手段４６は、フラッシュ４８と連携することによりＥＦ（フラッシュ調光）処理機能も有する。
【００２５】
４８はフラッシュであり、ＡＦ（オートフォーカス）補助光の投光機能、フラッシュ調光機能も有する。なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。さらに、測距手段４２による測定結果と、撮像素子１４によって撮像した画像データを画像処理回路２０によって演算した演算結果とを共に用いてＡＦ（オートフォーカス）制御を行っても構わない。そして、測光手段４６による測定結果と、撮像素子１４によって撮像した画像データを画像処理回路２０によって演算した演算結果とを共に用いて露出制御を行っても構わない。
【００２６】
５０はデジタルカメラ１００全体を制御するシステム制御回路、５２はシステム制御回路５０の動作用の定数、変数、プログラム等を記憶するメモリである。
【００２７】
５４はシステム制御回路５０でのプログラムの実行に応じて、文字、画像、音声等を用いて動作状態やメッセージ等を表示する液晶表示装置、スピーカー等の表示部であり、デジタルカメラ１００の操作部近辺の視認し易い位置に単数或いは複数設置され、例えばＬＣＤやＬＥＤ、発音素子等の組み合わせにより構成されている。また、表示部５４は、その一部の機能が光学ファインダー１０４内に設置されている。表示部５４の表示内容のうち、ＬＣＤ等に表示するものとしては、例えば、単写／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付け・時刻表示、外部コンピュータとの接続状態を示す表示、等がある。また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。さらに、表示部５４の表示内容のうち、ＬＥＤ等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示、等がある。そして、表示部５４の表示内容のうち、ランプ等に表示するものとしては、例えば、セルフタイマー通知ランプ等がある。このセルフタイマー通知ランプは、ＡＦ補助光と共用しても良い。
【００２８】
５６は電気的に消去・記録可能な不揮発性メモリであり、例えばフラッシュメモリ等が用いられる。ここで、フラッシュメモリとは、電気的に書き換え可能な不揮発性半導体メモリのことであり、データの一括消去やすばやい書き込みが可能である。
【００２９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００３０】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００３１】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００３２】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３３】
６６は再生スイッチで、撮影モード状態において、撮影した画像をメモリ３０或いは記録媒体２００或いは２１０から読み出して画像表示部２８によって表示する再生動作の開始を指示する。
【００３４】
６８は単写／連写スイッチで、シャッタースイッチＳＷ２を押した場合に１コマの撮影を行って待機状態とする単写モードと、シャッタースイッチＳＷ２を押している間は連続して撮影を行い続ける連写モードとを設定することが出来る。
【００３５】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することが出来るＡＦモード設定スイッチ等がある。また、上記プラスボタン及びマイナスボタンの各機能は、回転ダイアルスイッチを備えることによって、より軽快に数値や機能を選択することが可能となる。
【００３６】
７２は電源スイッチで、デジタルカメラ１００の電源ＯＮ／ＯＦＦの各モードを切り替え設定することが出来る。また、デジタルカメラ１００に接続されたレンズユニット３００、外部ストロボ、記録媒体２００、２１０等の各種付属装置の電源ＯＮ／ＯＦＦの設定も合わせて切り替え設定することが出来る。
【００３７】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な時間、記録媒体を含む各部へ供給する。
【００３８】
８２及び８４はコネクタ、８６はアルカリ電池やリチウム電池等の一次電池やNiCd電池やNiMH電池、Li電池等の二次電池、ＡＣアダプター等からなる電源手段である。
【００３９】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。なお、本実施例では記録媒体を取り付けるインタフェース及びコネクタを２系統持つものとして説明しているが、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標））カード等の規格に準拠したものを用いて構成して構わない。さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４０】
１０４は光学ファインダーであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダー機能を使用すること無しに、光学ファインダー１０４のみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４１】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０によりデジタルカメラ１００を他の機器と接続するコネクタ或いは無線通信の場合はアンテナである。
【００４２】
１２０は、レンズマウント１０６内において、デジタルカメラ１００をレンズユニット３００と接続するためのインタフェース、１２２はデジタルカメラ１００をレンズユニット３００と電気的に接続するコネクタであり、デジタルカメラ１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００４３】
１３０、１３２はミラーで、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【００４４】
２００はメモリカードやハードディスク等の記録媒体であり、半導体メモリや磁気ディスク等から構成される記録部２０２、デジタルカメラ１００とのインタフェース２０４、デジタルカメラ１００と接続を行うコネクタ２０６を備えている。２１０もメモリカードやハードディスク等の記録媒体であり、半導体メモリや磁気ディスク等から構成される記録部２１２、デジタルカメラ１００とのインタフェース２１４、デジタルカメラ１００と接続を行うコネクタ２１６を備えている。
【００４５】
３００は交換レンズタイプのレンズユニットである。３０６は、レンズユニット３００をデジタルカメラ１００と機械的に結合するレンズマウントである。レンズマウント３０６内には、レンズユニット３００をデジタルカメラ１００と電気的に接続する各種機能が含まれている。
【００４６】
３１０は撮影レンズ、３１２は絞りである。３２０は、レンズマウント３０６内において、レンズユニット３００をデジタルカメラ１００と接続するためのインタフェース、３２２はレンズユニット３００をデジタルカメラ１００と電気的に接続するコネクタである。コネクタ３２２は、デジタルカメラ１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００４７】
３４０は測光手段４６からの測光情報に基づいて、シャッター１２を制御するシャッター制御手段４０と連携しながら、絞り３１２を制御する絞り制御手段である。３４２は撮影レンズ３１０のフォーカシングを制御する測距制御手段、３４４は撮影レンズ３１０のズーミングを制御するズーム制御手段である。
【００４８】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００４９】
以上の構成を有するデジタルカメラは、以下で説明する各実施形態で使用することが可能である。
【００５０】
＜第１の実施形態＞
図２、図３、図４、図５を用いて、デジタルカメラ１００のメモリ初期化の動作、及び、デジタルカメラ１００の書き込み速度が閾値以下になった場合にＴＦＴなどの表示装置５４を介してユーザに通知する動作を説明する。
【００５１】
図２は、デジタルカメラ１００におけるメモリ初期化の動作を説明するフローチャートであり、図３はこの時の表示部５４に表示されるメニュー一覧の例である。
【００５２】
ステップＳ１０１で、デジタルカメラ１００を使用するユーザにより、操作部７０のメニュー操作からMenuの選択Ａ「メモリ初期化」が選択された場合、次のステップＳ１０２で、Menuの選択Ｂ「データ消去あり」か「データ消去なし」の選択を促される。この時、表示部５４は、例えば図３Ａから図３Ｂのように変化する。
【００５３】
ステップＳ１０２で「データ消去なし」が選択された場合は、ステップＳ１０３で、データ消去を行なわずに、記録媒体２００、または記録媒体２１０のファイルシステムの初期化を行う。ステップＳ１０２で「データ消去あり」が選択された場合は、ステップＳ１０４で、記録媒体２００の記録部２０２、または記録媒体２１０の記録部２１２に対し、データ消去を行ない、データ消去後、ステップＳ１０３でファイルシステムの初期化を行なう。
【００５４】
次に、図４は、デジタルカメラ１００におけるデータの書き込み速度に関してユーザに通知する動作を説明するフローチャートである。
【００５５】
ステップＳ４０１で、撮像した画像データは、Ｉ／Ｆ９０または９４を通って記録媒体２００または２１０に書き込みが開始される。システム制御回路５０は、記録媒体２００または２１０に次々に書き込まれる画像データに対し、当該書き込み速度V(Wr)を求める。これは例えば、前記画像データの記録に要するメモリブロック数及び書き込みに要した時間から算出することができる（Ｓ４０２）。書き込み速度V(Wr)がメモリ５２に予め記憶させてある書き込み速度の閾値V(Th)以下の場合（Ｓ４０３）には、表示装置５４を介してユーザに通知する（Ｓ４０４）。書き込み速度V(Wr)が書き込み速度の閾値V(Th)より大きい場合は、ユーザへの通知は行なわれず、通常の書き込み動作を継続する。
【００５６】
前記通知は、例えば図５Ｃに示すように、データ消去を伴うメモリ初期化を促す警告にすることができる。警告を見たユーザはデータ消去を伴うメモリ初期化を行なうことにより、書き込み速度を向上させることが可能となる。
【００５７】
なお、ユーザがシャッタースイッチ６４（ＳＷ２）を押してから、メモリに実際にデータが書き込まれる前に、画像データは一時的にメモリ３０に記録される。その流れは、次のとおりである。システム制御回路５０は、撮像した画像データを記憶可能な画像記憶バッファ領域がメモリ３０にあるかどうかを判断し、メモリ３０に撮像した画像データを記憶可能な画像記憶バッファ領域があるならば、撮像して所定時間蓄積した撮像信号を撮像素子１２から読み出して、Ａ／Ｄ変換器１６、画像処理回路２０、メモリ制御回路２２を介して、或いはＡ／Ｄ変換器から直接メモリ制御回路２２を介して、メモリ３０の所定領域に撮像した画像データを書き込む処理を実行する。
【００５８】
以上により、撮像した画像をメモリに記録するデジタルカメラであって、メモリ初期化時に、メモリ内のデータの消去を行なうか否かをユーザが選択でき、データの書き込み速度が低下した場合に、データ消去を伴うメモリ初期化をすべきであることを、ユーザが知ることのできる、デジタルカメラを提供することが可能となる。
【００５９】
＜第２の実施形態＞
図４、図５、図６、図７、図８を用いて、デジタルカメラ１００のメモリ初期化の設定及びメモリ初期化の動作、並びに、デジタルカメラ１００の書き込み速度が閾値以下になった場合にＴＦＴなどの表示装置５４を介してユーザに通知する動作を説明する。
【００６０】
図６、図７はデジタルカメラ１００のメモリ初期化の設定及びメモリ初期化の動作を説明するフローチャートであり、図８はこの時の表示部５４に表示されるメニュー一覧の例である。
【００６１】
ステップＳ２０１で、デジタルカメラ１００を使用するユーザにより、操作部７０のメニュー操作からMenuの選択Ａ「メモリ初期化の設定」が選択された場合、次のステップＳ２０２で、Menuの選択Ｂ「データ消去あり」か「データ消去なし」の選択を促される。この時、表示部５４は、例えば図８Ａから図８Ｂのように変化する。
【００６２】
ステップＳ２０２で「データ消去あり」が選択された場合は、ステップＳ２０３で、データ消去あり（Ｘ）というパラメータをメモリ５２に保存する。ステップＳ２０２で「データ消去なし」が選択された場合には、ステップＳ２０４で、データ消去なしというパラメータ（Ｙ）をメモリ５２に保存する。
【００６３】
次に、ステップＳ３０１で、デジタルカメラ１００を使用するユーザにより、操作部７０のメニュー操作からMenuの選択Ｃ「メモリ初期化」が選択された場合、ステップＳ３０２で、メモリ５２に保存されているメモリ初期化の設定パラメータを確認し、当該パラメータがデータ消去あり（Ｘ）であるならば、ステップＳ３０４で、記録媒体２００の記録部２０２、または記録媒体２１０の記録部２１２に対し、データ消去を行ない、データ消去後、ステップＳ３０３で、ファイルシステムの初期化を行なう。当該パラメータがデータ消去なし（Ｙ）であるならば、ステップＳ３０３で、データ消去を行なわずにファイルシステムの初期化だけを行なう。
【００６４】
なお、デジタルカメラ１００におけるデータの書き込み速度に関してユーザに通知する動作については、実施形態１の場合と同様である。
【００６５】
以上により、撮像した画像をメモリに記録するデジタルカメラであって、メモリ初期化に先立って、メモリ初期化時にメモリ内のデータの消去を行なうか否かを予めユーザが設定でき、データの書き込み速度が低下した場合に、データ消去を伴うメモリ初期化をすべきであることを、ユーザが知ることのできる、デジタルカメラを提供することが可能となる。
【図面の簡単な説明】
【００６６】
【図１】第１、第２の実施形態に共通するデジタルカメラの構成ブロック図である。
【図２】第１の実施形態における、メモリ初期化のフローチャートである。
【図３】第１の実施形態における、メモリ初期化の説明図である。
【図４】第１、第２の実施形態における、撮影画像データの書き込み速度が閾値以下になった場合に、ユーザに通知する動作のフローチャートである。
【図５】第１、第２の実施形態における、撮影画像データの書き込み速度が閾値以下になった場合に、ユーザに通知する動作の説明図である。
【図６】第２の実施形態における、メモリ初期化の設定のフローチャートである。
【図７】第２の実施形態における、メモリ初期化のフローチャートである。
【図８】第２の実施形態における、メモリ初期化の設定の説明図である。
【符号の説明】
【００６７】
１２：シャッター  １４：撮像素子  １６：Ａ／Ｄ変換器  １８：タイミング発生回路  ２０：画像処理回路  ２２：メモリ制御回路  ２４：画像表示メモリ  ２６：Ｄ／Ａ変換器  ２８：画像表示部  ３０：メモリ  ３２：画像圧縮・伸長回路  ４０：シャッター制御手段  ４２：測距手段  ４６：測光手段  ４８：フラッシュ  ５０：システム制御回路  ５２：メモリ  ５４：表示部  ５６：不揮発性メモリ  ６０：モードダイアルスイッチ  ６２：シャッタースイッチＳＷ１  ６４：シャッタースイッチＳＷ２  ６６：再生スイッチ  ６８：単写/連写スイッチ  ７０：操作部  ７２：電源スイッチ  ８０：電源制御手段  ８２：コネクタ  ８４：コネクタ  ８６：電源手段  ９０：インタフェース  ９２：コネクタ  ９４：インタフェース  ９６：コネクタ  ９８：記録媒体着脱検知手段
１００：デジタルカメラ  １０４：光学ファインダ  １０６：レンズマウント  １１０：通信手段  １１２：コネクタ（またはアンテナ）  １２０：インタフェース  １２２：コネクタ  １３０：ミラー  １３２：ミラー
２００：記録媒体  ２０２：記録部  ２０４：インタフェース  ２０６：コネクタ  ２１０：記録媒体  ２１２：記録部  ２１４：インタフェース  ２１６：コネクタ
３００：レンズユニット  ３０６：レンズマウント  ３１０：撮影レンズ  ３１２：絞り  ３２０：インタフェース  ３２２：コネクタ  ３４０：露光制御手段  ３４２：測距制御手段  ３４４：ズーム制御手段  ３５０：レンズシステム制御回路
【図１】
2007142754.tif 000003
【図２】
2007142754.tif 000004
【図３】
2007142754.tif 000005
【図４】
2007142754.tif 000006
【図５】
2007142754.tif 000007
【図６】
2007142754.tif 000008
【図７】
2007142754.tif 000009
【図８】
2007142754.tif 000010